(57)【要約】【課題】異物に大きな力がかかることを防止できるドアを提供する。【解決手段】出入口を開閉するための左右の扉体１０と、左右の扉体１０に固定される左右の固定部材６０、及び当該左右の固定部材６０が回動可能に連結される回動軸部３０を具備し、回動軸部３０から左右の固定部材６０を回動軸部３０の軸心方向に対して垂直方向に離間可能に支持する蝶番２０と、を具備し、蝶番２０は、回動軸部３０に回動可能に支持されると共に左右の固定部材６０を回動軸部３０の軸心方向に対して垂直方向に相対的に移動可能に支持することで、左右の固定部材６０と回動軸部３０とを連結する左右の連結部材４０・５０をさらに具備する。【選択図】図３
2016108871.tif 000002
【特許請求の範囲】
【請求項１】
出入口を開閉するための扉体と、
前記扉体及び／又は前記出入口に設けられる枠体に固定される固定部、及び当該固定部が回動可能に連結される回動軸を具備し、前記回動軸から前記固定部を前記回動軸の軸心方向に対して垂直方向に離間可能に支持する蝶番と、
を具備する、
ドア。
【請求項２】
前記蝶番は、
前記回動軸に回動可能に支持されると共に前記固定部を前記回動軸の軸心方向に対して垂直方向に相対的に移動可能に支持することで、前記固定部と前記回動軸とを連結する連結部をさらに具備する、
請求項１に記載のドア。
【請求項３】
前記蝶番は、
前記固定部を前記回動軸に接近する方向に付勢する付勢部をさらに具備する、
請求項１又は請求項２に記載のドア。
【請求項４】
前記付勢部は、
バネによって構成される、
請求項３に記載のドア。
【請求項５】
前記蝶番は、
前記付勢部による前記固定部への付勢力を調整する調整部をさらに具備する、
請求項３又は請求項４に記載のドア。
【発明の詳細な説明】
【技術分野】
【０００１】
本発明は、出入口を開閉するための扉体を蝶番によって回動可能に支持するドアの技術に関する。
【背景技術】
【０００２】
従来、出入口を開閉するための扉体を蝶番によって回動可能に支持するドアの技術は公知となっている。このようなドアには、閉じるときに異物（例えば、ドアを開閉する人の所持品等）が挟まる可能性がある。前記異物が挟まった状態でドアを閉じると、前記異物には、大きな力がかかってしまう。このような事態の発生を防止するための技術としては、例えば、特許文献１に記載の技術が公知となっている。
【０００３】
特許文献１に記載の技術は、折れ戸（ドア）の各戸パネル（扉体）の隙間を、各戸パネルの側方に配置される保護カバーで常に覆うことによって、前記各戸パネルに異物が挟まり難くする技術である。
しかしながら、特許文献１に記載の技術は、前記各戸パネルに異物が挟まった状態でドアを閉めた場合に、異物に大きな力がかかる構造は改善されていない。ドアの技術に関しては、この点において改善の余地があった。
【先行技術文献】
【特許文献】
【０００４】
【特許文献１】特開２０１１−１７４２６３号公報
【発明の概要】
【発明が解決しようとする課題】
【０００５】
本発明は、以上の如き状況を鑑みてなされたものであり、異物に大きな力がかかることを防止することが可能なドアを提供するものである。
【課題を解決するための手段】
【０００６】
本発明の解決しようとする課題は以上の如くであり、次にこの課題を解決するための手段を説明する。
【０００７】
即ち、請求項１においては、出入口を開閉するための扉体と、前記扉体及び／又は前記出入口に設けられる枠体に固定される固定部、及び当該固定部が回動可能に連結される回動軸を具備し、前記回動軸から前記固定部を前記回動軸の軸心方向に対して垂直方向に離間可能に支持する蝶番と、を具備するものである。
【０００８】
請求項２においては、前記蝶番は、前記回動軸に回動可能に支持されると共に前記固定部を前記回動軸の軸心方向に対して垂直方向に相対的に移動可能に支持することで、前記固定部と前記回動軸とを連結する連結部をさらに具備するものである。
【０００９】
請求項３においては、前記蝶番は、前記固定部を前記回動軸に接近する方向に付勢する付勢部をさらに具備するものである。
【００１０】
請求項４においては、前記付勢部は、バネによって構成されるものである。
【００１１】
請求項５においては、前記蝶番は、前記付勢部による前記固定部への付勢力を調整する調整部をさらに具備するものである。
【発明の効果】
【００１２】
本発明の効果として、以下に示すような効果を奏する。
【００１３】
請求項１においては、異物に大きな力がかかることを防止できる。
【００１４】
請求項２においては、美観を向上することができる。
【００１５】
請求項３においては、操作性を向上することができる。
【００１６】
請求項４においては、構成を簡素化することができる。
【００１７】
請求項５においては、操作性を向上することができる。
【図面の簡単な説明】
【００１８】
【図１】本発明の一実施形態に係るドアを示した斜視図。
【図２】本発明の一実施形態に係る左右の扉体を示した斜視図。
【図３】本発明の一実施形態に係る蝶番を示した斜視図。
【図４】同じく分解斜視図。
【図５】（ａ）バネの付勢力を調整する前の状態を示した断面図。（ｂ）バネの付勢力を調整した後の状態を示した断面図。
【図６】（ａ）全開状態のドアを示した平面図。（ｂ）全開状態のドアを閉め始めた状態を示した平面図。（ｃ）左右の扉体に異物が挟まった状態を示した平面図。
【図７】（ａ）左右の扉体が回動軸から離間する状態を示した平面図。（ｂ）全閉状態のドアを示した平面図。
【図８】（ａ）左右の固定部材が回動軸から離間した状態の蝶番を示した斜視図。（ｂ）同じく断面図。
【図９】回動軸から離間した左右の扉体を示した斜視図。
【図１０】本発明の別実施形態に係るドアを示した斜視図。
【発明を実施するための形態】
【００１９】
以下の説明においては、図中に記した矢印に従って、上下方向、左右方向及び前後方向をそれぞれ定義する。
【００２０】
以下では、本発明の一実施形態に係るドア１について説明する。
【００２１】
図１に示すように、本実施形態に係るドア１は、建物等の出入口に設けられる折れ戸である。ドア１は、主として左右の扉体１０及び蝶番２０等を具備する。なお、以下では、ドア１が図１に示すような全閉状態（出入口を塞いだ状態）であるものとして説明する。
【００２２】
左右の扉体１０は、出入口を開閉するためのものである。左右の扉体１０は、略板状に形成される。左右の扉体１０は、その板面を前後方向に向けて配置される。左右の扉体１０は、左右方向に並べて配置される。右側の扉体１０の上面及び下面における右端部には、支持軸１０ａが設けられる。支持軸１０ａは、軸線方向を上下方向に向けて配置され、右側の扉体１０を回動可能に支持する。左側の扉体１０は、出入口を開ける場合に図示せぬレール及び当該レールを摺動する摺動部材等によって上下方向を中心として回動しながら左右方向に移動可能に構成される。図２に示すように、このような左右の扉体１０には、凹部１１が形成される。
【００２３】
凹部１１は、左右の扉体１０の前側面にそれぞれ形成される正面視矩形状の窪みである。凹部１１は、左側の扉体１０の右端部及び右側の扉体１０の左端部に形成される。凹部１１は、上下方向に間隔を空けて三つ形成される。
【００２４】
図１及び図３に示すように、蝶番２０は、左右の扉体１０を回動可能に連結するものである。蝶番２０は、上下方向に間隔を空けて三つ配置される。三つの蝶番２０は、凹部１１が形成される部分で左右の扉体１０を連結する。なお、図１、図９及び図１０においては、説明の便宜上、蝶番２０を模式的に記載している。また、図３及び図８（ａ）においては、説明の便宜上、左側の扉体１０の記載を省略している。三つの蝶番２０は、それぞれ同様に構成される。このため、以下では、説明の便宜上、一番上に配置される蝶番２０についてのみ説明する。
【００２５】
蝶番２０は、回動軸部３０、左右の連結部材４０・５０、左右の固定部材６０、左右のボルト７０、左右のナット８０及び左右のバネ９０を具備する。
【００２６】
回動軸部３０は、左右の扉体１０の前方に配置される。図３及び図４に示すように、回動軸部３０は、筒体３１、ボルト３２及びナット３３を具備する。
【００２７】
筒体３１は、軸線方向を上下方向に向けて配置される。
【００２８】
ボルト３２は、軸線方向を上下方向に向けて配置される。ボルト３２の頭部は、筒体３１の上方に配置される。ボルト３２の軸部は、その軸線方向の長さが筒体３１の軸線方向の長さよりも長くなくなるように形成される。ボルト３２の軸部は、筒体３１に挿通される。ボルト３２の軸部の下端部は、筒体３１から下方に突出する。
【００２９】
ナット３３は、筒体３１の下方に配置される。ナット３３は、ボルト３２と螺合可能に構成される。
【００３０】
右側の連結部材４０は、側面視略Ｕ字状に形成される略板状の部材である。右側の連結部材４０は、回動軸部３０の右後方に配置される。右側の連結部材４０には、平板部４１、凸部４２、突出部４３及び対向部４４が形成される。
【００３１】
平板部４１は、その板面を前後方向に向けて配置される部分であり、右側の連結部材４０の上下中途部に形成される。平板部４１は、長手方向を左右方向に向けると共に短手方向を上下方向に向けた正面視略矩形状に形成される。平板部４１には、その板面を前後方向に貫通する調整窓４１ａが形成される。調整窓４１ａは、平板部４１よりも一回り小さい正面視略矩形状に形成される。このような調整窓４１ａが形成されることによって、平板部４１は、その上端部、下端部、右端部及び左端部を残して大きく開口している。
【００３２】
凸部４２は、平板部４１の上端部及び下端部にそれぞれ形成される。すなわち、凸部４２は、上下方向に間隔を空けて二箇所に形成される。凸部４２は、平板部４１から後方向に延びた後で、上下方向外側に（互いに離間するように）延び、当該延びた端部が直角に折れ曲がってさらに後方向に延びるように形成される。
【００３３】
突出部４３は、上下の凸部４２の左端部（回動軸部３０側の端部）からそれぞれ左前方向に（回動軸部３０に向かうように）延びるように形成される。すなわち、突出部４３は、上下方向に間隔を空けて二箇所に形成される。突出部４３には、その板面を上下方向に貫通すると共に筒体３１の孔部と略同一形状に形成される取付孔４３ａが形成される。
【００３４】
対向部４４は、平板部４１の右端部（回動軸部３０側とは反対側の端部）における上下中途部から後方向に延びるように形成される。対向部４４は、側面視略矩形状に形成される。対向部４４は、その板面を左右方向に向けて配置される。対向部４４の左側面（回動軸部３０側の面）は、対向面４４ａとして形成される。また、対向部４４には、その板面を左右方向に貫通する側面視略円状の貫通孔４４ｂが形成される。
【００３５】
左側の連結部材５０は、側面視略Ｕ字状に形成される略板状の部材である。左側の連結部材５０は、突出部５３を除き、回動軸部３０を基準として右側の連結部材４０と左右対称となるように形成される。このため、以下において、右側の連結部材４０と同様に構成される部分（平板部４１、凸部４２及び対向部４４）については、右側の連結部材４０と同じ符号を付し、その説明を省略する。
【００３６】
突出部５３は、上下の凸部４２の右端部にそれぞれ形成される。すなわち、突出部５３は、上下方向に間隔を空けて二箇所に形成される。突出部５３は、凸部４２から右方向に延びた後で、上下方向内側に（互いに接近するように）延び、当該延びた端部が直角に折れ曲がってさらに右前方向に延びるように形成される。このような突出部５３は、右側の連結部材４０の突出部４３の内側に配置される。突出部５３には、右側の連結部材４０の取付孔４３ａと平面視において重なる位置に、前記取付孔４３ａと略同一形状の取付孔５３ａが形成される。
【００３７】
このように構成される左側の連結部材５０の突出部５３の間には、回動軸部３０の筒体３１が配置される。左右の連結部材４０・５０の取付孔４３ａ・５３ａ及び筒体３１にはボルト３２が挿通される。当該ボルト３２は、右側の連結部材４０の突出部４３の下方でナット３３と螺合する。これにより、左右の連結部材４０・５０は、軸心方向を上下方向に向けて配置される回動軸部３０に回動可能に支持される。
【００３８】
左右の固定部材６０は、板面を前後方向に向けた略板状の部材である。左右の固定部材６０は、所定の板状部材の上下中途部が後方向に窪んだような側面視略Ｕ字状に形成される。左右の固定部材６０は、左右の連結部材４０・５０の後方に配置される。左側の固定部材６０は、回動軸部３０を基準として右側の固定部材６０と左右対称となるように形成される。このため、左右の固定部材６０の詳細な構成については、右側の固定部材６０についてのみ説明する。
【００３９】
固定部材６０には、取付部６１、凹部６２及び対向部６３が形成される。
【００４０】
取付部６１は、固定部材６０の上部及び下部に形成される後方向に窪んでいない部分である。すなわち、取付部６１は、上下方向に間隔を空けて二箇所に形成される。取付部６１の左右中途部は、他の部分よりも上下方向内側に（互いに接近するように）突出する。上下の取付部６１の左部及び右部には、板面を前後方向に貫通する取付孔６１ａがそれぞれ形成される。すなわち、取付孔６１ａは、固定部材６０の右上部、左上部、右下部及び左下部の四箇所に形成される。
【００４１】
凹部６２は、固定部材６０の上下中途部に形成される後方向に窪んだ部分である。凹部６２は、取付部６１の左部及び右部からそれぞれ後方向に延びるように形成される。すなわち、凹部６２は、左右方向に間隔を空けて二箇所に形成される。凹部６２の内縁部における上下方向の幅は、右側の連結部材４０の上下方向の幅と略同一となるように形成される。凹部６２の内側には、右側の連結部材４０が配置される。
【００４２】
対向部６３は、左側（回動軸部３０側）の凹部６２の左端部における上下中途部から前方向に延びるように形成される。対向部６３は、側面視略矩形状に形成される。対向部６３は、その板面を左右方向に向けて配置される。このような対向部６３の右側面（回動軸部３０側とは反対側の面）は、対向面６３ａとして形成される。対向面６３ａは、右側の連結部材４０の対向面４４ａと対向する。対向部６３には、その板面を左右方向に貫通するボルト孔６３ｂが形成される。ボルト孔６３ｂは、側面視略円状に形成される。ボルト孔６３ｂの内周面には、図示せぬ雌ネジ部が形成される。
【００４３】
固定部材６０は、凹部６２が右側の連結部材４０の凸部４２に左方から嵌め合わされることで右側の連結部材４０に支持される。このとき、固定部材６０は、凹部６２の底面（前方向を向いた面）及び取付部６１の左右中途部が右側の連結部材４０の凸部４２と当接する。このような固定部材６０は、右側の連結部材４０に対して左右方向に摺動可能となっている。
これにより、固定部材６０は、回動軸部３０に対して近接離間可能（図３に示すような全閉状態においては左右方向に相対移動可能）に右側の連結部材４０に支持される。また、固定部材６０は、右側の連結部材４０を介して回動軸部３０と連結される。
【００４４】
左側のボルト７０、左側のナット８０及び左側のバネ９０は、回動軸部３０を基準として右側のボルト７０、右側のナット８０及び右側のバネ９０と左右対称となるように形成される。このため、左右のボルト７０、左右のナット８０及び左右のバネ９０の構成については、右側のボルト７０、右側のナット８０及び右側のバネ９０についてのみ説明する。
【００４５】
図３及び図５（ａ）に示すように、ボルト７０は、軸線方向を左右方向に向けて配置される。ボルト７０の頭部は、右側の連結部材４０の対向部４４の右方（回動軸部３０側とは反対側の一側方）に配置され、対向部４４と当接する。ボルト７０の軸部は、右側の連結部材４０の貫通孔４４ｂに挿通されると共に、左端部（回動軸部３０側の端部）が右側の固定部材６０の対向部６３のボルト孔６３ｂと螺合する。ボルト７０の軸部と右側の連結部材４０の貫通孔４４ｂとの間には隙間が形成される。すなわち、ボルト７０は、右側の固定部材６０と共に右側の連結部材４０に対して左右方向に相対移動する。
【００４６】
ナット８０は、ボルト７０の左右中途部と螺合され、右側の連結部材４０の対向面４４ａと右側の固定部材６０の対向面６３ａとの間に配置される。
【００４７】
バネ９０は、右側の固定部材６０を付勢するものである。バネ９０の左端部（回動軸部３０側の端部）は、ナット８０と当接する。バネ９０の右端部（回動軸部３０側とは反対側の端部）は、右側の連結部材４０の対向面４４ａと当接する。これにより、バネ９０は、ボルト７０及びナット８０を介して右側の固定部材６０を回動軸部３０に接近する方向（図３及び図４においては左方向）に付勢する。
【００４８】
図５（ｂ）に示すように、本実施形態に係るバネ９０は、ナット８０を回動させることで、右側の連結部材４０の対向面４４ａにナット８０を接近させている。これによって、バネ９０の圧縮変形量、すなわち右側の連結部材４０への付勢力が予め調整されている。
【００４９】
このように構成される蝶番２０の右側の連結部材４０、右側の固定部材６０、右側のボルト７０、右側のナット８０及び右側のバネ９０は、図３及び図４に示すように、回動軸部３０を中心として一体的に回動する。また、右側の固定部材６０が右側の連結部材４０に対して左右方向に摺動することで、右側の固定部材６０、右側のボルト７０及び右側のナット８０は、回動軸部３０に対して近接離間する。
仮に、右側の固定部材６０等が回動軸部３０に対して離間した場合、右側のナット８０は、右側の連結部材４０の対向面４４ａに接近する。これによって、右側のバネ９０は圧縮される。
【００５０】
また、左側の連結部材５０、左側の固定部材６０、左側のボルト７０、左側のナット８０及び左側のバネ９０は、図３及び図４に示すように、回動軸部３０を中心として一体的に回動する。また、左側の固定部材６０が左側の連結部材５０に対して左右方向に摺動することで、左側の固定部材６０、左側のボルト７０及び左側のナット８０は、回動軸部３０に対して近接離間する。
仮に、左側の固定部材６０等が回動軸部３０に対して離間した場合、左側のナット８０は、左側の連結部材５０の対向面４４ａに接近する。これによって、左側のバネ９０は圧縮される。
【００５１】
このような蝶番２０は、図２及び図３に示すように、左右の固定部材６０の凹部６２が左右の扉体１０の凹部１１に嵌め合わされると共に左右の固定部材６０の取付孔６１ａにボルト等の締結部材が締結されることによって、左右の扉体１０に取り付けられる。これにより、蝶番２０は、左右の固定部材６０、左右の連結部材４０・５０及び回動軸部３０を介して左右の扉体１０を回動可能に連結する。
【００５２】
また、本実施形態に係る蝶番２０は、左右の固定部材６０を介して左右の扉体１０を回動軸部３０に対して近接離間可能に支持する。より詳細には、蝶番２０は、左右の扉体１０を回動軸部３０から上下方向に対して垂直方向（本実施形態では、平面視において回動軸部３０に対して近接離間する方向、図３に示すような全閉状態においては左右方向）に離間可能に支持している。
【００５３】
このように蝶番２０が左右の扉体１０を支持した状態において、左右のバネ９０は、左右の固定部材６０を介して左右の扉体１０を回動軸部３０に接近する方向に付勢する。このため、左右の扉体１０は、回動軸部３０から離間する方向に左右のバネ９０の付勢力を超える力が加わった場合にのみ、回動軸部３０から離間する。
【００５４】
次に、図６から図９を参照して全開状態（図６（ａ）に示すような左右の扉体１０の板面が左右方向を向いた状態）のドア１を全閉状態にするまでの流れについて説明する。なお、図６及び図７においては説明の便宜上、蝶番２０を模式的に記載している。
【００５５】
図６（ａ）及び図６（ｂ）に示すように、全開状態となっているドア１をある程度閉めると、左右の扉体１０は、回動軸部３０を中心として互いに反対方向に回動する。このとき、左右の扉体１０の回動軸部３０側の端部（図６（ｂ）に示す状態においては、右側の扉体１０の左後端部及び左側の扉体１０の右後端部）には、隙間Ｓが形成される。このような隙間Ｓには、例えば、ドア１を閉める人の所持品等（以下、「異物Ａ」と称する）が入り込む可能性がある。
【００５６】
仮に、前記隙間Ｓに異物Ａが入り込んだ状態でドア１を閉めると、図６（ｃ）に示すように、左右の扉体１０が回動して回動軸部３０側の端部が接近し、異物Ａは、左右の扉体１０に挟まる。
【００５７】
このような異物Ａが挟まった状態でさらにドア１を閉めると、左右の扉体１０の回動軸部３０側の端部が互いに接近しようする。このため、異物Ａには、左右の扉体１０から圧縮するような力が加えられる。
【００５８】
このとき、左右の扉体１０及び左右の固定部材６０には、回動軸部３０から離間する方向の力がかかる。前記圧縮するような力が大きくなると、前記回動軸部３０から離間する方向の力は大きくなる。このような回動軸部３０から離間する方向の力が左右のバネ９０の付勢力よりも大きくなると、図７（ａ）及び図８に示すように、左右の扉体１０及び左右の固定部材６０は、左右のバネ９０の付勢力に抗って回動軸部３０から離間する。
【００５９】
従って、左右の扉体１０は、異物Ａが挟まった状態でドア１を閉めると、回動軸部３０から離間しながら回動することとなる。本実施形態に係るドア１は、このような離間動作によって、異物Ａに対して大きな力がかかることを防止できる。
【００６０】
図７（ｂ）及び図９に示すように、左右の扉体１０は、ドア１が全閉状態となるまで回動軸部３０から離間しながら回動する。
【００６１】
仮に、左右の扉体１０を市販の蝶番（固定部材が回動軸部に対して離間しない蝶番）によって開閉可能に構成した通常の折れ戸に異物Ａが挟まった場合、折れ戸を閉めるときに回動軸部を支点とするてこの原理によって、異物Ａに大きな力がかかってしまう。これに対して、本実施形態に係るドア１は、左右の扉体１０が回動軸部３０から離間することで、異物Ａに大きな力がかからない。
【００６２】
以上のように、本実施形態に係るドア１は、左右の扉体１０に挟まった異物Ａに大きな力がかかることを防止できる。本実施形態に係るドア１は、左右の扉体１０に蝶番２０を取り付けるだけで異物Ａに大きな力がかかることを防止できるため、様々な形状の扉体に適用することができる。また、本実施形態に係るドア１は、既に建物等に設置されたドアにも簡単に（蝶番を本実施形態に係る蝶番２０に取り替えるだけで）適用することができる。
【００６３】
本実施形態に係るドア１は、回動軸部３０とは異なる部材によって構成される左右の固定部材６０を回動軸部３０から離間可能に支持することで、左右の扉体１０を市販の蝶番で開閉可能に構成したドアと視覚的に大きな差異が生じないようにすることができる。これによれば、ドア１は、特殊な外観とならない（異物Ａに大きな力がかからないようにするための部材が不自然な形で視認されない）ため、美観を向上することができる。
【００６４】
また、蝶番２０は、左右の扉体１０を左右のバネ９０によって付勢することで、左右の扉体１０に異物Ａが挟まっている状態でドア１を閉めたときだけ、左右の扉体１０を回動軸部３０から離間させることができる。すなわち、蝶番２０は、必要なときだけ左右の扉体１０を回動軸部３０から離間させることができる。
【００６５】
また、蝶番２０は、左右の扉体１０に挟まった異物Ａを取り除いたときに、左右の扉体１０を左右のバネ９０によって回動軸部３０に接近させることができる。これにより、蝶番２０は、左右の扉体１０を自動的に元の位置（異物Ａが挟まっていない場合に配置される位置）に戻すことができる。
【００６６】
以上のように、蝶番２０は、左右のバネ９０によって左右の扉体１０を付勢することで、必要なときだけ左右の扉体１０を回動軸部３０に対して近接離間させることができる。このため、ドア１は、操作性を向上することができる。
【００６７】
また、ドア１は、左右のバネ９０によって左右の扉体１０を付勢することで、簡素な構成で操作性を向上することができる。
【００６８】
前述したように、本実施形態に係る左右のバネ９０は、左右のボルト７０と螺合する左右のナット８０を回動させることによって、その付勢力が調整可能に構成されている（図５参照）。このため、ドア１は、左右のバネ９０の左右の扉体１０に対する付勢力を最適な大きさに調整することができる。従って、ドア１は、より確実に、必要なときだけ左右の扉体１０を回動軸部３０から近接離間させることができる。
【００６９】
また、本実施形態に係る蝶番２０は、左右の連結部材４０・５０の平板部４１に調整窓４１ａを形成することで、ドア１に取り付けられた後でも、左右の扉体１０から蝶番２０を取り外すことなく簡単に左右のナット８０を回動させることができる（図３参照）。このため、蝶番２０は、そのメンテナンス性を向上することができる。
【００７０】
以上の如く、本実施形態に係るドア１は、出入口を開閉するための左右の扉体１０と、前記左右の扉体１０に固定される左右の固定部材６０（固定部）、及び当該左右の固定部材６０が回動可能に連結される回動軸部３０（回動軸）を具備し、前記回動軸部３０から前記左右の固定部材６０を上下方向（前記回動軸部３０の軸心方向）に対して垂直方向に離間可能に支持する蝶番２０と、を具備する、ものである。
【００７１】
このように構成することにより、異物に大きな力がかかることを防止できる。
【００７２】
また、前記蝶番２０は、前記回動軸部３０に回動可能に支持されると共に前記左右の固定部材６０を前記回動軸部３０の軸心方向に対して垂直方向に相対的に移動可能に支持することで、前記左右の固定部材６０と前記回動軸部３０とを連結する左右の連結部材４０・５０（連結部）をさらに具備するものである。
【００７３】
このように構成することにより、美観を向上することができる。
【００７４】
また、前記蝶番２０は、前記左右の固定部材６０を前記回動軸部３０に接近する方向に付勢する左右のバネ９０（付勢部）をさらに具備するものである。
【００７５】
このように構成することにより、操作性を向上することができる。
【００７６】
また、前記付勢部は、バネによって構成されるものである。
【００７７】
このように構成することにより、構成を簡素化することができる。
【００７８】
また、前記蝶番２０は、前記左右のバネ９０による前記左右の固定部材６０への付勢力を調整する左右のボルト７０及び左右のナット８０（調整部）をさらに具備するものである。
【００７９】
このように構成することにより、操作性を向上することができる。
【００８０】
なお、本実施形態に係る左右の固定部材６０は、本発明に係る固定部の実施の一形態である。
また、本実施形態に係る回動軸部３０は、本発明に係る回動軸の実施の一形態である。
また、本実施形態に係る左右の連結部材４０・５０は、本発明に係る連結部の実施の一形態である。
また、本実施形態に係る左右のバネ９０は、本発明に係る付勢部の実施の一形態である。
また、本実施形態に係る左右のボルト７０及び左右のナット８０は、本発明に係る調整部の実施の一形態である。
【００８１】
本実施形態における上下方向は、本発明に係る回動軸の軸心方向に対応する。
【００８２】
以上、本発明の実施形態を説明したが、本発明は上記構成に限定されるものではなく、特許請求の範囲に記載された発明の範囲内で種々の変更が可能である。
【００８３】
例えば、本実施形態に係るドア１は、折れ戸としたが、本発明に係るドアの種類はこれに限定されるものでなく、例えば、図１０に示す別実施形態のドア１０１にあるような開き戸であっても良い。この場合、左右の固定部材６０は、一方が扉体１０に固定されると共に他方が出入口に設けられる枠体１２に固定される。
【００８４】
また、本実施形態に係る蝶番２０は、左右の扉体１０をそれぞれ回動軸部３０に対して近接離間可能に支持したが、本発明に係る蝶番はこれに限定されるものでなく、左右の扉体１０の少なくともいずれか一方を回動軸部３０に対して近接離間可能に支持していれば良い。
【００８５】
本実施形態に係るドア１は、三つの蝶番２０を具備するものとしたが、本発明に係るドアの蝶番の個数はこれに限定されるものでない。すなわち、本発明に係るドアは、一つの蝶番を具備するものであっても良く、また、二つ以上の蝶番を具備するものであってもよい。
【００８６】
また、左右の扉体１０が回動軸部３０から離間する際に移動する方向は、回動軸部３０の軸心方向に対して垂直方向であれば良く、本実施形態に限定されるものでない。
【００８７】
また、本実施形態に係る蝶番２０は、左右のバネ９０を用いることで、必要なときだけ左右の扉体１０を回動軸部３０から離間させるようにしたが、本発明は、これに限定されるものでない。このような、必要なときだけ左右の扉体１０を回動軸部３０から離間させる手段としては、例えば、磁石を用いる手段や互いに係合する凹凸を左右の連結部材４０・５０及び左右の固定部材６０に形成する手段が考えられる。
仮に磁石を用いた場合、左右の扉体１０に異物Ａが挟まった状態でドア１を閉じたときに、磁石による左右の固定部材６０と左右の連結部材４０・５０との吸着状態が解除され、左右の扉体１０が回動軸部３０から離間する。
また、凹凸を形成した場合、左右の扉体１０に異物Ａが挟まった状態でドア１を閉じたときに、凹凸の係合状態が解除され、左右の固定部材６０が回動軸部３０から離間する。
【００８８】
また、本実施形態に係る蝶番２０は、回動軸部３０と左右の固定部材６０とを左右の連結部材４０・５０によって連結したが、本発明はこれに限定されるものでない。すなわち、本発明に係る蝶番は、回動軸部３０と左右の固定部材６０とを左右の連結部材４０・５０とは異なる部材で連結しても良い。また、本発明に係る蝶番は、回動軸部３０に対して左右の固定部材６０が直接的に離間する（部材を介さずに摺動可能に連結されている）ような構成であっても良い。
【００８９】
また、本実施形態において、左右の固定部材６０を付勢する付勢部は、左右のバネ９０によって構成されるものとしたが、本発明に係る付勢部の構成はこれに限定されるものでない。すなわち、本発明に係る付勢部は、ゴムのような弾性体や皿バネであっても良い。
【符号の説明】
【００９０】
１      ドア
１０    扉体
２０    蝶番
３０    回動軸部（回動軸）
６０    固定部材（固定部）
Ａ      異物
【図１】
2016108871.tif 000003
【図２】
2016108871.tif 000004
【図３】
2016108871.tif 000005
【図４】
2016108871.tif 000006
【図５】
2016108871.tif 000007
【図６】
2016108871.tif 000008
【図７】
2016108871.tif 000009
【図８】
2016108871.tif 000010
【図９】
2016108871.tif 000011
【図１０】
2016108871.tif 000012